(57)【特許請求の範囲】
【請求項１】
被複写物に光を放射する光源と、
この被複写物に向かって電磁波を放射する電磁波発生手段と、
この電磁波発生手段から放射され前記被複写物によって反射された電磁波を受信し、該受信した電磁波の受信レベルを出力する電磁波受信手段と、
前記被複写物に対して前記光源による光および前記電磁波発生手段による電磁波を同時に放射した場合に前記電磁波受信手段により出力される受信レベルと、前記被複写物に対して前記電磁波発生手段による電磁波のみを放射した場合に前記電磁波受信手段により出力される受信レベルとに基づいて、前記被複写物の複写の是非を判定する判定手段と
を具備することを特徴とする画像形成装置。
【請求項２】
前記被複写物は、光半導体を含有させた書類であることを特徴とする請求項１記載の画像形成装置。
【請求項３】
前記光半導体は、前記光源によって光が照射されると、その導電率が上昇する性質を有し、
前記判定手段は、該性質に基づいて前記被複写物の複写の是非を判定することを特徴とする請求項２記載の画像形成装置。
【請求項４】
請求項１記載の画像形成装置によって複写の是非を判定される偽造防止書類であって、
所定波長の光に対して励起状態となり導電率が上昇する光半導体を含有したことを特徴とする偽造防止書類。
【請求項５】
請求項１記載の画像形成装置によって複写の是非を判定される被複写物に用いられるインクであって、
所定波長の光に対して励起状態となり導電率が上昇する光半導体を含有したことを特徴とするインク。
【発明の詳細な説明】
【０００１】
【発明の属する技術分野】
この発明は、紙幣、有価証券等の偽造防止に用いて好適な画像形成装置、偽造防止書類およびインクに関する。
【０００２】
【従来の技術】
近年のカラー複写機、カラープリンタ等の性能向上に伴い、紙幣、有価証券、商品券あるいは催し物の入場券等が偽造される危険性も増大している。これを防止するため、紙幣等の画像パターンを予めメモリに記憶し、原稿の画像データをメモリの内容と照合し、両者が近似している場合は正常な画像出力を行わない（例えば、該当部分を黒く塗りつぶす）技術が知られている。また、印字される画像データに肉眼で判別困難なドットパターンを含ませ、このパターンによって複写機の製造番号等を表示し、偽造者の追跡を容易にする技術が知られている。
【０００３】
しかし、前者の技術は、偽造を防止すべき全ての書類について対応することは困難である。すなわち、流通している紙幣の種類は限られているが、商品券や入場券等は種類が膨大であり、これら全ての画像パターンをメモリに記憶することは実現性に乏しい。また、後者の技術においては、偽造が行われた後に偽造者を追跡することは容易になるが、偽造行為そのものを防止できないという問題がある。
【０００４】
ところで、所定の分布パターンで紙幣等に金属ファイバを含ませておき、これに基づいて紙幣等の真偽を判別する技術が知られている（特表昭６３−５０１２５０，特開平６−８７２８８，特開平６−７９９９１）。これらの技術によれば、マイクロ波を伝搬する導波管に対して、この導波管を横切るようにスリットが形成される。そして、このスリットに紙幣等が挿入され、マイクロ波の透過率が測定される。もし紙幣等が正当なものであれば透過率は上記分布パターンに応じて変動する筈であり、かかる透過率の変動が得られたか否かに基づいて紙幣等の真偽が判定される。
【０００５】
【発明が解決しようとする課題】
上述したような各種の紙幣等は、金属ファイバの分布パターンは種々異なるが、少なくともある程度の反射率でマイクロ波を反射する点で共通する。従って、複写機等に用いられる原稿読取り装置においては、予め原稿にマイクロ波を放射し、原稿がこのマイクロ波を反射しない場合にのみ原稿を読取るようにすれば良いと考えられる。
【０００６】
しかし、複写機のプラテンガラスに載置される被複写物は、一般的な紙だけではない。例えば、本の表紙に金属を蒸着させタイトルを金文字で表示することがあり、絵画等にあっては表面に金箔等を散布することがあり、プリント基板等を複写する必要が生ずることもある。これらの場合においては、被複写物の金属部分によってマイクロ波が反射されるから、被複写物が偽造防止書類であるのか否かを判別することが困難になる。
【０００７】
この発明は上述した事情に鑑みてなされたものであり、被複写物が偽造防止書類であるか否かを正確に判別できる画像形成装置、およびこの画像形成装置とともに用いて好適な偽造防止書類およびインクを提供することを目的とする。
【０００８】
【課題を解決するための手段】
上記課題を解決するため、請求項１記載の構成にあっては、被複写物に光を放射する光源と、この被複写物に向かって電磁波を放射する電磁波発生手段と、この電磁波発生手段から放射され前記被複写物によって反射された電磁波を受信し、該受信した電磁波の受信レベルを出力する電磁波受信手段と、前記被複写物に対して前記光源による光および前記電磁波発生手段による電磁波を同時に放射した場合に前記電磁波受信手段により出力される受信レベルと、前記被複写物に対して前記電磁波発生手段による電磁波のみを放射した場合に前記電磁波受信手段により出力される受信レベルとに基づいて、前記被複写物の複写の是非を判定する判定手段とを具備することを特徴としている。
【０００９】
また、請求項２記載の構成にあっては、請求項１記載の画像形成装置において、前記被複写物は、光半導体を含有させた書類であることを特徴とする。
【００１０】
また、請求項３記載の構成にあっては、請求項２記載の画像形成装置において、前記光半導体は、前記光源によって光が照射されると、その導電率が上昇する性質を有し、前記判定手段は、該性質に基づいて前記被複写物の複写の是非を判定することを特徴とする。
【００１１】
また、請求項４記載の偽造防止書類にあっては、請求項１記載の画像形成装置によって複写の是非を判定される偽造防止書類であって、所定波長の光に対して励起状態となり導電率が上昇する光半導体を含有したことを特徴とする。
【００１５】
また、請求項５記載のインクにあっては、請求項１記載の画像形成装置によって複写の是非を判定される被複写物に用いられるインクであって、所定波長の光に対して励起状態となり導電率が上昇する光半導体を含有したことを特徴とする。
【００１６】
【発明の実施の形態】
Ａ．実施形態の構成
以下、この発明の一実施形態の原稿読取り装置の構成を説明する。なお、この原稿読取り装置はカラー複写機用に用いられるものである。
図１において１はプラテンガラスであり、ガラス枠３上の所定位置に載置されている。４はガラス押えであり、プラテンガラス１をガラス枠３に固定する。５はレジストレーションガイドであり、その上面には、各種の原稿サイズ（Ａ４，Ｂ４等）に応じて、原稿２を載置すべき位置が印刷されている。６はランプキャリッジであり、プラテンガラス１に対して平行に移動可能になっている。ランプキャリッジ６の内部において７はランプであり、反射版８，８を介して原稿２に光を放射する。
【００１７】
この光は原稿２において反射され、光軸Ｐ−Ｐ’に沿ってフルレートミラー９に伝搬され、ここで反射された後、ハーフレートミラー１５およびレンズ１６を順次介してＣＣＤラインセンサ１０に入力される。１１は所定レベルのマイクロ波を出力する送信部であり、このマイクロ波は送信アンテナ１２によってプラテンガラス１に向かって放射される。ここで、送信アンテナ１２の指向性は、光の照射位置（光軸Ｐ−Ｐ’とプラテンガラス１の上面との交点）に向かう方向において最もゲインが高くなるように設定されている。
【００１８】
次に、１４は受信部であり、受信アンテナ１３を介して受信したマイクロ波を検波し、その結果を検波信号Ｓ1 として出力する。従って、検波信号Ｓ1 は、受信したマイクロ波のＲＦレベルに比例したレベルを有する。ここで、受信アンテナ１３は、送信アンテナ１２と同様の指向性を有しており、光軸Ｐ−Ｐ’に関して送信アンテナ１２と線対象を成す位置に設けられている。従って、マイクロ波がプラテンガラス１の上面で反射された際に受信レベル（すなわち検波信号Ｓ1 ）が最大になる。
【００１９】
次に、上記原稿読取り装置の電気的構成を図２を参照し説明する。
図において２０はＣＰＵであり、ＲＯＭ２２に記憶された制御プログラムに基づいて、原稿読取り装置内の他の構成要素を制御する。２１はＲＡＭであり、ＣＰＵ２０によって読出し／書込みが自在になっており、制御プログラムに用いられる各種の変数等を格納する。２５はＡ／Ｄコンバータであり、検波信号Ｓ1 をデジタル信号に変換し、入出力制御部２６を介してＣＰＵ２０に供給する。２３は本体制御部であり、複写機全体の制御を行う。２４は入出力制御部であり、本体制御部２３とＣＰＵ２０との間で各種信号の受け渡しを行う。
【００２０】
次に、本実施形態に適用される偽造防止書類の物理的構成について説明する。偽造防止書類は、適宜な方法で光半導体を含有させた書類である。例えば、光半導体の粒子を書類の繊維内に分散したもの、光半導体を書類上にコーティングした書類、または、光半導体を含有するインクを用いて印刷した有価証券等が該当する。光半導体とは、その吸収する波長の光が照射されると励起状態になり、導電率が上昇する物質のことであり、これにマイクロ波と光とを同時に照射すると、マイクロ波の反射波のレベルが増大する。
【００２１】
本実施形態はこの性質を利用したものである。すなわち、複写時に被複写物にマイクロ波を放射し、マイクロ波および光を同時に放射した場合と、マイクロ波のみを放射した場合とにおける反射波のレベルを比較することにより、被複写物に光半導体が含まれているか否かを判別することができる。被複写物に光半導体が含まれていれば偽造防止書類であるから、その場合は複写を停止するのである。
【００２２】
偽造防止書類に用いられる光半導体としては、無機半導体、有機半導体の何れも使用することができ、偽造防止に使用される光源に対応する分光感度を有していればよい。無機半導体としては、複写機用無機感光体に使用されている材料が各種適用可能であり、具体的には次のような物質が挙げられる。
【００２３】
(1)Ｓｅ，ＴｅなどのVI族、およびその化合物半導体。
(2)Ｓｉ，Ｇｅ，ＳｎなどのIV族、およびその化合物半導体。
(3)ＧａＡｓ，ＩｎＰなどのIII−Ｖ族、およびその化合物半導体。
(4)ＺｎＯ，ＺｎＳｅ，ＣｄＳ、などのII−VI族、およびその化合物半導体。
これらは、結晶、非結晶の何れも適用可能である。
【００２４】
有機半導体としては、いわゆるＯＰＣ（有機感光体）に適用できるものが各種適用可能であり、具体的には次のような化合物が挙げられる。
(1)モノアゾ顔料、ビスアゾ顔料、トリスアゾ顔料、テトラゾ顔料等のアゾ系顔料。
(2)ペリレン酸無水物、ペリレン酸イミド等のペリレン系顔料、
(3)アントラキノン誘導体、アントアントロン誘導体、ジベンズピレンキノン誘導体、ピラントロン誘導体、ビオラントロン誘導体、イソビオラントロン誘導体等の多環キノン系顔料。
(4)インジゴ誘導体、チオインジゴ誘導体等のインジゴ系顔料。
(5)銅フタロシアニン、チタニルフタロシアニン等の金属フタロシアニン顔料。
(6)ジフェニルメタン顔料、トリフェニルメタン顔料、キサンテン顔料、アクリジン顔料等のカルボニウム系顔料。
(7)アジン顔料、オキサジン顔料、チアジン顔料等のキノンイミン系顔料。
【００２５】
(8)シアニン顔料、アゾメチン顔料等のメチン系顔料。
(9)キノリン系顔料。
(10)ベンゾキノン、およびナフトキノン系顔料。
(11)ナフタルイミド系顔料。
(12)ビスベンゾイミダゾール誘導体等のペリノン系顔料。
(13)アズレニウム系顔料。
(14)スクエアリウム系顔料。
(15)ピリリウム／チアピリリウム系染料とポリカーボネート化合物から形成される共晶錯体。
(16)ニトロ基、ニトロソ基、シアノ基等の電子受容性置換基を有する電子受容性化合物と、アミノ基、フェニル基、アルキル基、複素環基等の電子供与性置換基を有する電子供与性化合物との電荷移動錯体。
【００２６】
これらの中でも、アゾ系顔料、ペリレン系顔料、多環キノン系顔料、およびフタロシアニン顔料は、光導電性や耐候性が優れているため特に好ましい。これらは有色性色材でもあるため、塗料やインクとして使用する際には、所望の色を有するものを選択すればよい。使用する際には、光導電性を有していない色材と併用してもよい。これらを塗料やインクにする場合は適宜なバインダー樹脂に分散されるが、カードの場合はベースとなるプラスチック材料に直に分散してもよい（分散比率はバインダー樹脂、またはベースプラスチック材料に対して５〜１００重量％が好ましい）。
【００２７】
ここで、光半導体を励起させる光の波長は、光半導体の種類によって異なる。そこで、この波長とランプ７が発生する光の波長とが一致するように光半導体の種類を選択すると、ランプ７によって光半導体を励起させることが可能になる。すなわち、光半導体を励起させるために新たな光源を設ける必要はなくなる。
【００２８】
Ｂ．実施形態の動作
次に、本実施形態の動作を説明する。
まず、複写機本体においてスタートボタンが押下されると、本体制御部２３からＣＰＵ２０に対して、原稿の読取り指令が行われる。ＣＰＵ２０は、この指令を受信すると、図３に示すプログラムを起動させる。図において処理が開始されると、ステップＳＰ１においてランプキャリッジ６が原点（フルレートミラー９がレジストレーションガイド５の直下に来る位置）に移動される。次に、ランプ７が点灯され、変数ＣＴ，ＸＣＴに「０」が代入される。そして、送信部１１，送信アンテナ１２を介してマイクロ波が送信される。
【００２９】
次に、処理がステップＳＰ２に進むと、ランプキャリッジ６が所定長（例えば数ｍｍ程度）だけ副走査方向（図１における右方向）に定速移動される。この期間中、ランプ７から放射された光は、反射版８，８、原稿２、フルレートミラー９を介して反射され、ＣＣＤラインセンサ１０に入力される。そして、ＣＣＤラインセンサ１０は、入力された光の強度に応じて画像データを出力する。また、受信部１４は、受信したマイクロ波を検波して検波信号Ｓ1 を出力する。次に、処理がステップＳＰ３に進むと、現在のランプキャリッジ６の位置は所定のスキャン終了位置であるか否かが判定される。
【００３０】
ここで、「ＮＯ」と判定されると処理はステップＳＰ４に進み、検波信号Ｓ1 が変数ＬＦ［ＣＴ］（配列ＬＦの要素ＣＴ。本明細書では、「配列Ｘの要素Ｙ」を「変数Ｘ［Ｙ］」のように表記する）に代入される。変数ＣＴは、先にステップＳＰ１で「０」に初期設定されているから、ここでは変数ＬＦ［０］に検波信号Ｓ1 が代入される。次に、処理がステップＳＰ５に進むと、変数ＣＴが「１」だけインクリメントされる。以上の処理が終了すると、処理はステップＳＰ２に戻る。
【００３１】
次に、ステップＳＰ２においては、ランプキャリッジ６が再び所定長だけ副走査方向に定速移動される。そして、ステップＳＰ３を介して処理がステップＳＰ４に進むと、変数ＬＦ［ＣＴ］（変数ＬＦ［１］）に検波信号Ｓ1 が代入される。以下同様に、ランプキャリッジ６が所定長づつ副走査方向に移動され、各部における検波信号Ｓ1 が変数ＬＦ［ＣＴ］（ＣＴ＝０，１，２，……）に順次代入される。
【００３２】
そして、ランプキャリッジ６がスキャン終了位置に達した後に処理がステップＳＰ３に進むと、ここで「ＹＥＳ」と判定され、処理がステップＳＰ６に進む。このときの変数ＣＴの値を以後「ＣＴMAX」という。なお、周知の複写機と同様に、ランプキャリッジ６がスキャン終了位置に達するまでにＣＣＤラインセンサ１０に入射された光は、順次画像データに変換され複写機本体内の画像メモリ（図示せず）に蓄積されてゆく。
【００３３】
ここで、原稿２の構成を図４(ｂ)に示す。図において２ａは偽造防止書類であり、光半導体を分散した長方形の紙である。偽造防止書類２ａは、ランプ７の点灯時には所定値Ｌa 以上の検波信号Ｓ1 が得られる程度のマイクロ波反射率を有し、ランプ７の消灯時には所定値Ｌb（但しＬa＞Ｌb）以下の検波信号Ｓ1 が得られる程度のマイクロ波反射率を有する。また、２ｂは金属箔付き普通紙であり、普通紙の表面に散点状に金属箔を固着して成るものであり、所定値Ｌa と同程度の検波信号Ｓ1 が得られる程度のマイクロ波反射率を有している。
【００３４】
また、２ｃは金属板であり、高いマイクロ波反射率を有し、ランプ７の点灯／消灯状態にかかわらず検波信号Ｓ1 は所定値Ｌa よりも高くなる。また、２ｄは普通紙であり、低いマイクロ波反射率を有し、ランプ７の点灯／消灯状態にかかわらず検波信号Ｓ1 は所定値Ｌb よりも低くなる。原稿２は、これら各部（２ａ〜２ｄ）を順に並べて構成されている。従って、ランプキャリッジ６によって原稿２が走査されると、検波信号Ｓ1 は図４(ａ)に示すようになり、変数ＬＦ［ＣＴ］には該検波信号Ｓ1 のサンプリング結果が記憶される。
【００３５】
さて、図３に戻り、処理がステップＳＰ６に進むと、ランプ７が消灯される。次に、処理がステップＳＰ７に進むと、変数ＬＦ［ＣＴ］（現時点ではステップＳＰ４で最後に設定された変数ＬＦ［ＣＴMAX］）は所定値Ｌa を超えるか否かが判定される。図４(ａ)のグラフによれば、時刻ｔ4 以降は検波信号Ｓ1（および対応する変数ＬＦ［ＣＴ］） は常に所定値Ｌa 未満になっている。従って、ここでは「ＮＯ」と判定され、処理はステップＳＰ１２に進む。ここでは、ランプキャリッジ６が原点に向かって所定距離（ステップＳＰ２においてスキャンされる距離と同一距離）だけ復帰され、変数ＣＴが「１」だけデクリメントされる。
【００３６】
次に、処理がステップＳＰ１３に進むと、ランプキャリッジ６は原点に復帰されたか否かが判定される。現時点では未だ復帰していないから「ＮＯ」と判定され、処理はステップＳＰ７に戻る。以後、ステップＳＰ７，１２，１３のループが繰り返され、ステップＳＰ１２が実行される毎にランプキャリッジ６が所定距離づづ原点に向かって復帰し、変数ＣＴがデクリメントされる。かかる処理が行われている間においても、送信部１１および送信アンテナ１２を介してマイクロ波が放射され、その受信レベルに応じた検波信号Ｓ1 が受信部１４から出力される。この検波信号Ｓ1 のレベルを図４(ａ)，(ｂ)に対応させて同図(ｃ)に示す。
【００３７】
このように、ステップＳＰ１２が繰り返し実行されると、やがてランプキャリッジ６が金属板２ｃの部分に到達し、検波信号Ｓ1 が急激に上昇する。図４(ｃ)では時刻ｔ7 の直後に、かかる状態になっている。次に、処理がステップＳＰ７に戻ると、変数ＬＦ［ＣＴ］と所定値Ｌa との大小関係が比較される。この時点での変数ＬＦ［ＣＴ］は図４(ａ)の時刻ｔ4 の直前の検波信号Ｓ1 をサンプリングしたものであり、所定値Ｌa よりも高いレベルになっている。従って、ここでは「ＹＥＳ」と判定され処理がステップＳＰ８に進む。
【００３８】
ステップＳＰ８においては、検波信号Ｓ1 は所定値Ｌb 以下であるか否かが判定される。上述したように、この時点では検波信号Ｓ1 は上昇して所定値Ｌb よりも高くなっているため、ここでは「ＮＯ」と判定され処理がステップＳＰ１２に進む。以後、時刻ｔ8 に達するまで、ステップＳＰ７，８，１２，１３のループが繰り返される。
【００３９】
次に、時刻ｔ8 〜ｔ9 の期間においては、金属箔付き普通紙２ｂに対応する変数ＬＦ［ＣＴ］に対して、順次ステップＳＰ７の判定が順次実行される。上述したように、金属箔付き普通紙２ｂは、所定値Ｌa と同程度の検波信号Ｓ1 が得られる程度のマイクロ波反射率を有している。しかし、実際には金属箔のムラやノイズ等の影響により、変数ＬＦ［ＣＴ］は所定値Ｌa の付近で変動する。従って、ステップＳＰ７における判定結果も、これに応じて変動する。しかし、この期間においては、検波信号Ｓ1 は常に所定値Ｌb よりも高いレベルになっている。
【００４０】
従って、ステップＳＰ７で「ＮＯ」と判定された場合は処理が直接ステップＳＰ１２に進むが、「ＹＥＳ」と判定された場合においてもステップＳＰ８で「ＮＯ」と判定され、処理がステップＳＰ１２に進む。結局、何れの場合においても処理はステップＳＰ１２に進み、ステップＳＰ１２が実行される毎にランプキャリッジ６は所定距離づつ原点に向かって復帰する。このように、所定値Ｌa，Ｌbの差は、一般的なノイズ等による誤差の幅以上に設定されている。
【００４１】
次に、時刻ｔ9 以降の期間においては、偽造防止書類２ａに対応した変数ＬＦ［ＣＴ］に対して、ステップＳＰ７の判断が実行される。これらの変数ＬＦ［ＣＴ］は、光半導体が励起された期間（時刻ｔ1 〜ｔ2）の検波信号Ｓ1 をサンプリングしたものであるから、ステップＳＰ７においては「ＹＥＳ」と判定される。一方、現時点においてはランプ７は消灯されており光半導体は励起されていないから、ステップＳＰ８においても「ＹＥＳ」と判定され、処理はステップＳＰ９に進む。
【００４２】
ステップＳＰ９では、変数ＸＣＴが「１」だけインクリメントされる。変数ＸＣＴは、先にステップＳＰ１において「０」にリセットされているから、最初にステップＳＰ９が実行された時点で「１」になる。次に、処理がステップＳＰ１０に進むと、変数ＸＣＴは所定の限界値ＬＩＭに達したか否かが判定される。ここで、「ＮＯ」と判定されると、ステップＳＰ１２，１３を介して処理がステップＳＰ７に戻る。
【００４３】
図４(ａ)〜(ｃ)によれば、偽造防止書類２ａに対応する変数ＬＦ［ＣＴ］は必ず所定値Ｌa 以上であり、検波信号Ｓ1 は必ず所定値Ｌb 以下である。従って、以後はステップＳＰ７〜１０，１２，１３から成るループが繰り返し実行される。そして、ステップＳＰ９が実行される度に変数ＸＣＴは「１」づつインクリメントされ、ステップＳＰが実行される毎にランプキャリッジ６は所定距離づつ原点に向かって復帰する。そして、やがて変数ＸＣＴが限界値ＬＩＭを超えると、処理はステップＳＰ１１に進む。
【００４４】
ここでは、ＣＰＵ２０から本体制御部２３に対して、偽造防止措置を採るようにコマンドが出力される。ここで、「偽造防止措置」とは、例えば画像メモリをフラッシュして白紙を出力する、用紙を黒く塗りつぶす、用紙自体を出力しない等、各種のものが考えられる。要するに、使用者が正常な複写物を得られないような措置であれば、どのようなものであってもよい。ここで、変数ＸＣＴが限界値ＬＩＭを超えた場合にのみ「偽造防止措置」を採ることとした理由は、原稿２に付着したゴミや一時的に検波信号Ｓ1 に乗った大きなノイズ等によって「偽造防止措置」が行われることを防止したものである。従って、限界値ＬＩＭは小型の有価証券（例えば郵便切手）を検出できる程度の値にしておくとよい。
【００４５】
なお、原稿２に偽造防止書類２ａが含まれていなかった場合には、変数ＸＣＴが限界値ＬＩＭに達することなく、ランプキャリッジ６が原点に復帰する。その後にステップＳＰ１３が実行されると「ＹＥＳ」と判定され処理がステップＳＰ１４に進む。ここでは、ＣＰＵ２０から本体制御部２３に対して、画像出力を行うべき旨が指令される。本体制御部２３はこの指令を受信すると、画像メモリ内の画像データを用紙に印字して出力する。
【００４６】
なお、上記実施形態において偽造防止書類の判定に用いた光源は、原稿の読取りに用いる光源を併用した。しかし、偽造防止書類の判定に用いる光源は別個に設けてもよいことは勿論である。この場合には、複写を禁止したい原稿に合わせて光源を選定できる点で複写禁止の自由度を増すことができる。
【００４７】
【発明の効果】
以上説明したように本発明によれば、マイクロ波および光を同時に放射した場合と、マイクロ波のみを放射した場合の両状態における反射波の受信レベルに基づいて、被複写物の複写の是非を判定するから、被複写物が偽造防止書類であるか否かを正確に判別することが可能である。
【図面の簡単な説明】
【図１】  一実施形態の原稿読取り装置の正面図である。
【図２】  上記実施形態のブロック図である。
【図３】  上記実施形態の制御プログラムのフローチャートである。
【図４】  上記実施形態の動作説明図である。
【符号の説明】
７  ランプ（光源）
１１  送信部（電磁波発生手段）
１２  送信アンテナ（電磁波発生手段）
１３  受信アンテナ（電磁波受信手段）
１４  受信部（電磁波受信手段）
２０  ＣＰＵ（判定手段）
【図１】
0003637657.tif 000002
【図２】
0003637657.tif 000003
【図３】
0003637657.tif 000004
【図４】
0003637657.tif 000005